(57)【要約】【課題】  皮膚環境改善効果のあるマッサージローラーを提供する。【解決手段】  真珠（１）の中心に穴（２）を開け、真珠の穴（２）及びその周辺部分と支柱（４）との間に保護具（３）を施したもの又は金属に保護膜をコーテングした支柱（４）をはめ込んで真珠を固定するが、真珠は回転できる構造とするので、留め金（６）が左右に必要である。ローラー部材の根元部分をネジ構造（７）として取手（５）に装着固定するか、ローラー部材と取手は一体構造とする事で課題を解決する手段として提供する。【選択図】図１
2009112746.tif 000002
【特許請求の範囲】
【請求項１】
真珠（１）の中心に穴（２）を開け、真珠の穴（２）及びその周辺部分と支柱（４）との間に保護具（３）を施したもの、又は、金属に保護膜をコーテングした支柱（４）をはめ込んで真珠を固定するが、真珠は回転できる構造とするので、留め金（６）が左右に必要である。ローラー部材の根元部分をネジ構造（７）として取手（５）に装着固定するか、ローラー部材と取手は一体構造とする事を特徴とした真珠を利用のマッサージローラーとその構造並びにローラーの製造方法。
【請求項２】
真珠を長持ちさせる方法として真珠表面に二酸化チタン含有スプレーを噴霧して自然乾燥又は遠赤外線乾燥した事を特徴とする請求項１記載の真珠を利用マッサージローラーとその構造並びにローラーの製造方法。
【請求項３】
真珠又は真珠微粉末、二酸化チタン微粉末、ゲルマニウム微粉末、ゼオライト、無機系抗菌剤（銀、亜鉛、銅などの一種類）をセラミックのボールとするか、セラミックの表面に釉薬のように焼き付けた何れかを使用する事を特徴とした請求項１、２記載の真珠を利用マッサージローラーとその構造並びにローラーの製造方法。
【請求項４】
真珠成分が皮脂、汗、弱酸性化粧水に溶けて微量皮膚表面に残る事を特徴とした請求項１、２、３記載の真珠を利用マッサージローラーとその構造並びにローラーの製造方法。
【請求項５】
ボールペンのペン先の構造として真珠又はその表面処理済のもの、表面処理済セラミックボールの何れかを使用し化粧水を備えた事を特徴とする請求項１，２、３、４記載の真珠を利用のマッサージローラーとその構造並びにローラーの製造方法。
【請求項６】
真珠又はその表面加工したもの、セラミック又はボール、チタン金属又は球、ゲルマニウム金属又は球を組み合わせたことを特徴とする真珠を利用のマッサージローラーとその構造並びにローラーの製造方法。
【請求項７】
真珠の粒の変化（環境等による出来不出来、真珠の種類の変更、金属との摩擦によって磨耗が早い場合）、真珠に穴を開けずに回転できる構造としたことを特徴とする真珠を利用したマッサージローラーとその構造並びにローラーの製造方法。
【請求項８】
真珠を粉末にしてチタン微粉末、ゲルマニウム微粉末、珪酸成分含有岩石微粉末、無機系抗菌剤を混ぜてセラミックとしたローラーを使用することを特徴とした真珠利用のマッサージローラーとその構造ならびにローラーの製造方法。
【発明の詳細な説明】
【技術分野】
【０００１】  本発明は真珠を利用したマッサージローラーとその構造並びにローラーの製造方法に関する。
【背景技術】
【０００２】  真珠を利用したマッサージローラーは特許文献並びにインターネット情報にはないものと考えられるが、セラミック、ゲルマニウム、チタン、プラスチックを利用したものは幾つもある。【０００３】  参考までに特許文献を挙げると次のものがあると考えられるが、いずれもマッサージローラーと言う範疇のものである。
【特許文献１】特開２００７−２０９７２０号公報
【特許文献２】特開平９−５１９２８号公報
【特許文献３】特開平７−３９１７０号公報
【発明の開示】
【発明が解決しようとする課題】
【０００４】  従来の特許文献１における技術は、イボイボ構造をローラーに持たせる事でマッサージ効果を上げているものである。【０００５】  従来の特許文献２における技術は、異種のイオン化傾向金属を用いて、その電位差により血行促進をはかり肩こりや腰痛の症状を和らげようとするものである。【０００６】  従来の特許文献３における技術は、回転面に突起や磁石を付ける事で特に抜け毛を防ぐことや育毛促進に使用するものである。【０００７】  上記のいずれのものもそれなりの健康効果は期待できるが、ローラーの素材が決定的に異なっていると言う事と、マッサージ効果によって同じような効果になるが、本発明は真珠を利用する事でマッサージ効果によるものだけではない肌環境の改善効果が得られる。
【課題を解決するための手段】
【０００８】  真珠（１）の中心に穴（２）を開け、穴（２）と支柱（４）との間に保護具（３）を施したもの又は金属支柱に保護膜をコーテングした支柱（４）をはめ込んで真珠を固定するが、真珠は回転できる構造とするので、留め金（６）が左右に必要である。ローラー部材の根元部分をネジ構造（７）として取手、（５）に装着固定するか、ローラー部材と取手は一体構造とする事で課題を解決する手段として提供する。【０００９】  真珠の成分が皮膚、汗で極微量溶け出すことを目的としているが、真珠の持ちを良くする方法として、真珠表面に二酸化チタン含有スプレーを噴霧して、自然乾燥又は遠赤外線乾燥させる事で真珠を長持ちさせることや皮膚表面の雑菌及び汚れ物資を吸着分解する事で今までのローラーにない機能を発揮する事を持って課題を解決する手段として提供する。
【発明の効果】
【００１０】  従来のローラー部分を真珠とする事でその硬度は３・５度であり硬すぎもせずやわらかすぎもせず、皮膚に程良い刺激のローラーになる。【００１１】  真珠の成分は９３％が炭酸カルシウムであり、残りの７％がコンキオリンアミノ酸類（コラーゲン及びヒアルロン酸と同類。）等のアミノ酸類で規則正しく構成されていているのであの光沢が保たれている。これをローラーとして利用することで皮膚刺激すると滑らかな皮膚環境になる。（真珠の詳しい成分は実施例６に記載している。）【００１２】  真珠自体が自然の状態でほぼ球形になっているためにローラーとして使用すると多くの加工過程が省略できるので価格的にも安く出来るし、真珠の新規な利用方法になる。【００１３】  ローラー部分を金属などとした場合、人によっては金属アレルギー反応が出るが、真珠にはそういう心配は一切ない。【００１４】  真珠自体は微粉末として飲んでもなんの害になる物ではなく、皮膚に残留しても皮膚障害等を起す性格はないものであり安全性がきわめて高い。（皮脂、汗などによって真珠成分が溶けて皮膚表面に微量残る事を目的としたローラーである。単にマッサージだけを目的としただけのローラーではない。）【００１５】  炭酸カルシウムはその性格から抗菌作用が認められる。皮膚表面の雑菌などの繁殖を阻止する働きがある。その証拠としてベビーパウダー等に使用されている。（パウダー及びセラミックとする時は、無機系の抗菌剤（下記［００１７］に記載している。）を混ぜるなり、釉薬の様に焼き付けることが可能である。）【００１６】  真珠の表面に二酸化チタン含有スプレーを噴霧して自然乾燥又は遠赤外線乾燥させたものは真珠の持ちが良いだけでなく、皮膚表面の雑菌及び汚れ物質を吸着（炭酸カルシウムの電子的な特性）分解（二酸化チタンの光触媒作用）する作用がある。
【発明を実施するための最良の形態】
【００１７】  本発明を実施するための最良の形態はマッサージローラーのローラー部分を真珠に変えるだけでも良いし、真珠に二酸化チタン含有スプレー（光触媒機能があれば、二酸化チタンに限定するものではないが、真珠との相性を吟味する必要がある。）を噴霧して自然乾燥又は遠赤外線乾燥させたものか、真珠を微粉末にして二酸化チタン微粉末、ゲルマニウム微粉末、ゼオライト又、無機系抗菌剤（例えば、銀、亜鉛、銅などの内一種類）と混ぜてセラミックとするか、セラミックの表面に釉薬の様に焼き付けてそのローラーを使用しても問題はない。【００１８】  真珠微粉末他のセラミック加工が複雑で製造コストがかかる場合は、チタン金属又は球、セラミック又はそのボール（表面加工をしたもの）、ゲルニウム金属又は球を真珠と並べることで解決してもよいものとする。
【実施例１】
【００１９】  真珠と金属の接する部分にプラスチック及樹脂、テフロンコーテングか、金属支柱の表面に保護膜をコーテングして真珠が瑕になるのを防ぐことが必要であるが、速く磨耗するだけの事で効果の上では必ずしも必要ではない。二通り作っても良いということである。（金属と真珠の硬度の違いによる磨耗、瑕を防ぐ為である。）
【実施例２】
【００２０】  ローラー部分に真珠、真珠に二酸化チタン含有スプレーを噴霧して自然乾燥又は遠赤外線乾燥させたもの、真珠微粉末他（［００１７］に記載済み）の何れかを利用したセラミックを使用すればローラーの構造はどのように組み替えても良いものとする。特に、セラミックとする時はローラーの形状が必ずしも球形である必要はない。【００２１】  真珠が小粒の時（環境等の変化による出来不出来。供給上の課題により真珠の種類の変更等）、金属類との組み合わせで真珠の破損が起こる場合は、真珠に穴を開けずに回転できるタイプ（例えば、クイックルワイパー、登録商標登録済み様）のローラーと事で解決することが可能である。
【実施例３】
【００２２】  ローラー部分をセラミックとして真珠微粉末、二酸化チタン微粉末、ゲルマニウム微粉末を釉薬的に焼付けする時は８００度以下で時間をかけて焼付けするものとする。（二酸化チタンの触媒能力を阻害しない為である。）
【実施例４】
【００２３】  真珠の玉を２〜５個としてチタン金属又はその球（８）１個、セラミック又はそのボール（１０）を１個、ゲルマニウム金属又はその球（９）１個を挟み込んだ構造にしても問題はないものとする。（それぞれの相乗効果を引き出す為であるが、必ず全部入れなければならないということはない。）
【実施例５】
【００２４】  ボールペンのペン先と同じような構造にして真珠の玉（１）、表面を処理したセラミックボール（１０）の何れかを回転ローラーとし、弱酸性化粧液（１１）を塗布しながらマッサージできる構造としても良いが、真珠を利用するときローラーの磨耗を防ぐために化粧水で変化しない柔軟な樹脂（１２）構造が必要になる。ローラーを内部から支えたるためにローラー保持具（１６）バネ（１７）とバネ及び化粧液を入れるスペースを保持するために仕切り板（１８）を用意する。本体は万年筆やシャーペンの外観構造（１４，１５）として、その内部に化粧液を入れるスペース（１３）を設けるが、補充できるように開閉の効く密封栓（１９）をつける。（真珠は弱酸性化粧水成分によって幾分ずつ溶け出す、化粧水成分と相乗的に働く事でマッサージ並びに保湿、美肌効果がアップする構造になる。）【００２５】  小さくなった真珠は抜け落ちるが、真珠のスペアーを用意するなり、簡単に取り替えられる構造とする事で利便性がアップする。
【実施例６】
【００２６】  ［化１］
真珠の成分
炭酸カルシウム８０〜９３％、有機物、ミネラル又は水２〜７％，有機物の中には１０数種類以上のアミノ酸があり、コンキオリンアミノ酸を形作っている。その他に酸化ケイ素、燐酸カルシウム、酸化カルシウム、酸化アルミニウム、酸化鉄などの無機類、微量ミネラル類として、Ｃａ、Ｎａ、Ｐ、Ｋ、Ｍｇ、Ａｌ、Ｃｕ、Ｆｅ、Ｍｎ、Ｓｉ、Ｔｉ、Ｃｏ、Ｇｅなどである。（種類、産地、淡水産、海水産によって若干の成分的な変動がある。）
皮膚のペーハー
皮膚のペーハーは４〜６である。使用しているうちに真珠成分が溶けて微量皮膚表面に残るために真珠は本来の輝きは無くなってきたり、小さくなったりするが皮膚環境改善にはそのほうが良い。変形、瑕が大きくなったものの使用は避けたほうが良い。
【実施例７】
【００２７】  真珠の新規な使用例として、真珠に穴を開け釣り糸（テグス又は丈夫な糸）で編み上げたり、接着剤等で接着固定した物は工芸品、足裏マッサージ用具、靴底、靴の中敷、サンダル、靴下、枕、敷布団の部材、入浴剤又は入浴具（ネットに入れただけでも良い。セラミック加工すればさらに良いものになるが、作り方及び使用方法がある。）に利用可能である。この場合は、形が不ぞろいのもの（規格外品）でも利用できるというメリットがある。
【図面の簡単な説明】
【００２８】
【図１】本発明の実施例を示す全体正面図である。
【図２】本発明の真珠を保護する為の要部断面図である。（実施例１）
【図３】本発明のローラー構造に関する構造図である（実施例２）
【図４】本発明のチタン金属又は球、セラミック又はボール、ゲルマニウム金属又は球を入れた配置図である。（実施例４）
【図５】本発明をボールペンのペン先構造のようにした要部断面図である。（実施例５）
【符合の説明】
【００２９】１  真珠又は真珠の表面を加工したもの又はセラミック又はその球
２  穴
３  保護具又は保護膜
４  支柱
５  取手
６  留金
７  ネジ
８  チタン金属又は球
９  ゲルマニウム金属又は球
１０  セラミック又は球
１１  化粧液
１２  樹脂
１３  化粧液のストックスペース
１４  キャップ
１５  クリップ
１６  ローラー保持具
１７  バネ
１８  仕切り板
１９  密封栓
２０  接合部
【図１】
2009112746.tif 000003
【図２】
2009112746.tif 000004
【図３】
2009112746.tif 000005
【図４】
2009112746.tif 000006
【図５】
2009112746.tif 000007